(57)【要約】  【課題】天井照明に頼らず、またレイアウトの如何によらずに、デスクのレイアウトに付随して机上面の照明を適切に構成できるようにする。  【解決手段】ワークラインＷＬに沿って複数人が隣接状態で使用可能な机上面Ａを有するデスクワーク用のデスク本体１と、前記デスク本体１に一体的に支持された状態で前記机上面Ａと天井との間に前記ワークラインＷＬに沿って間欠的に又は連続的に光源であるＬＥＤチップ３２を配置してなる照明手段３とを具備し、この照明手段３のＬＥＤチップ３２から前記机上面Ａを照明するように構成した。  【選択図】図１
2010017488.tif 000002
【特許請求の範囲】
【請求項１】
ワークラインに沿って複数人が隣接状態で使用可能な机上面を有するデスクワーク用のデスク本体と、前記デスク本体に一体的に支持された状態で前記机上面と天井との間に前記ワークラインに沿って間欠的に又は連続的に光源を配置してなる照明手段とを具備し、この照明手段の光源から前記机上面を照明するように構成したことを特徴とするデスクシステム。
【請求項２】
ワークラインに沿って複数人が隣接状態で使用可能かつ奥行き方向に対面状態で使用可能な机上面を有するデスクワーク用のデスク本体と、前記デスク本体に一体的に支持された状態で前記机上面と天井との間に前記ワークラインに沿って間欠的に又は連続的に光源を配置してなる照明手段とを具備し、この照明手段から奥行き方向両側に振り分けて前記机上面を照明するように構成したことを特徴とするデスクシステム。
【請求項３】
デスク本体の自立性を利用して、前記デスク本体を構成する天板の使用縁にほぼ平行なラインを形成するライン構成ビームと、このライン構成ビームを支持する支柱とからなる机上構造体を前記デスク本体に一体的に設け、この机上構造体のライン構成ビームに沿って前記照明手段の光源を配置している請求項１又は２何れかに記載のデスクシステム。
【請求項４】
天板が、使用縁側に凹部を有し、その凹部の両側の机上面を隣接状態で使用可能な異形天板であって、デスク本体の自立性を利用して、前記デスク本体を構成する前記天板の凹部に近づくほど使用縁側に迫り出すラインを形成するライン構成ビームと、このライン構成ビームを支持する支柱とからなる机上構造体をデスク本体に一体的に設け、この机上構造体のライン構成ビームに沿って前記照明手段の光源を配置している請求項１又は２何れかに記載のデスクシステム。
【請求項５】
ライン構成ビームが支柱に対して高さ変更可能に設けられている請求項４記載のデスクシステム。
【請求項６】
ライン構成ビーム又は支柱に支持させて、このライン構成ビームに沿って平行に延びる中間フレームを前記ライン構成ビームの下方における所要高さ位置に設け、この中間フレームに前記照明手段の光源を取り付けている請求項４又は５何れかに記載のデスクシステム。
【請求項７】
中間フレームが、ライン構成ビーム又は支柱に高さ変更可能に取り付けられている請求項６記載のデスクシステム。
【請求項８】
ライン構成ビームの上面側に、天井方向を照らす補助照明手段の光源を更に備え、前記中間フレームに取り付けた照明手段の光源、および前記ライン構成ビームに設けた補助照明手段の光源に、机上構造体の内部に導入した配線を通じて給電を行い得るようにしている請求項６又は７何れかに記載のデスクシステム。
【請求項９】
照明手段又は補助照明手段の何れか一方もしくは双方が上下方向に可変とされている請求項８記載のデスクシステム。
【請求項１０】
照明手段を構成する光源と、補助照明手段を構成する光源とは、同一の光源要素を上下逆向きに取り付けて構成されたものである請求項８又は９何れかに記載のデスクシステム。
【請求項１１】
机上構造体を構成する支柱のうち端部に位置する一対の支柱間の幅寸法が机上面の幅寸法に略等しく設定され、その支柱間にデスクトップパネルを嵌め込むように位置づけている請求項３〜１０何れかに記載のデスクシステム。
【請求項１２】
デスクトップパネルを支持する支柱を机上構造体の支柱とし、その上端部に当該机上構造体を構成するライン構成ビームを取り付けている請求項１１記載のデスクシステム。
【請求項１３】
ワークライン方向へ机上面の連続性を損なわずにデスク本体の増連、減連が可能であり、これに対応してライン構成ビームの増連、減連が可能なように机上構造体をデスク本体に対して着脱可能に構成している請求項３〜１２何れかに記載のデスクシステム。
【請求項１４】
ワークライン方向へ机上面の連続性を損なわずにデスク本体の増連、減連が可能であり、これに対応してライン構成ビームおよび中間フレームの増連、減連が可能なように机上構造体に中間フレームを取り付けている請求項３〜１２何れかに記載のデスクシステム。
【請求項１５】
照明手段が、ワークラインに沿ってデスク本体の机上面のほぼ全域に亘り設けられる光源と、この光源からの光の拡散を机上面の奥行き内にほぼ収める導光部とを具備する請求項１〜１４何れかに記載のデスクシステム。
【請求項１６】
照明手段が、下向きに配置されて蛍光灯よりも高い指向性を示すＬＥＤ等の光源と、この光源からの光を机上面上に重点的に拡散させる導光部とを具備する請求項１〜１５何れかに記載のデスクシステム。
【請求項１７】
導光部が、光源の下方に配置されて光を散乱させるスモーク板を備える請求項１６何れかに記載のデスクシステム。
【請求項１８】
導光部が、光源の下方に配置されて光を机上面の使用縁側に重点的に散乱させるスモーク板と、前記スモーク板の下方に配置されて入射した光を机上面の反使用縁側に向けて反射させるデスクトップパネルとを備える請求項１６記載のデスクシステム。
【請求項１９】
スモーク板の小口からワークラインに沿ってほぼ均等に光が導出されるように構成している請求項１６〜１８何れかに記載のデスクシステム。
【請求項２０】
導光部が、光源の直下に配置されて小口より光を入光させ、その光をパネル面から厚み方向に放射するデスクトップパネルを備える請求項１６〜１９何れかに記載のデスクシステム。
【請求項２１】
請求項１３又は１４何れかに記載のデスクシステムを構成すべく、デスク本体に着脱可能とされることを特徴とする机上構造体。
【発明の詳細な説明】
【技術分野】
【０００１】
本発明は、デスクを利用してオフィス等に適切な照明環境を構築できるようにしたデスクシステムに関するものである。
【背景技術】
【０００２】
オフィス等では、特許文献１等に示されるように、島型配置を採用したり、フリーアドレス制を採用する場合に、複数人が隣接状態で使用可能な大型の机上面を構成することが少なくない。
【０００３】
一方、オフィスの建築構造物には、通常、適宜位置にライン照明等の天井照明が施されているのが一般的であり、机上面にもある程度の照度が得られるようになっている。
【特許文献１】特開２００５−１０２９２８号公報
【発明の開示】
【発明が解決しようとする課題】
【０００４】
ところが、デスク等のレイアウトは天井照明に沿ってなされるとは限らず、天井照明から外れた位置で照度不足に陥ったり、天井照明の照度そのものがデスクワークを行う上で不十分な場合も少なくない。そして、照度不足の場合でも、多少の我慢で足りる場合には別段の対処をせずに使用し続けるケースが少なくなく、業務に支障が生じる段階になって適宜個別にタスクライト等を導入して照度を補っているのが実状である。このため、ワーカーに負担を掛けずに適切なオフィス環境を構築するためには、照明環境により配慮した居住空間を全体として設計しておくことが不可欠である。
【０００５】
本発明は、このような課題に着目してなされたものであって、天井照明に頼らず、またレイアウトの如何によらずに、デスクのレイアウトに付随して机上面の照明を適切に構成できるようにした、新規有用なデスクシステムを提供することを目的としている。
【課題を解決するための手段】
【０００６】
本発明は、かかる目的を達成するために、次のような手段を講じたものである。
【０００７】
すなわち、本発明のデスクシステムは、ワークラインに沿って複数人が隣接状態で使用可能な机上面を有するデスクワーク用のデスク本体と、前記デスク本体に一体的に支持された状態で前記机上面と天井との間に前記ワークラインに沿って間欠的に又は連続的に光源を配置してなる照明手段とを具備し、この照明手段の光源から前記机上面を照明するように構成したことを特徴とする。
【０００８】
このように構成すると、照明手段はデスク本体に一体的に支持されるので、デスク本体を居住空間のどの場所に配置しても、机上面と対をなしてワークライン方向に分布することになる。このため、天井照明に頼れない場所があっても、机上面の上にライン照明を有効に構成して、適切な照明を行うことができる。特に、天井よりも近い位置にライン照明を持ち込むと、必要な机上面を重点的に照らすタスクライトとしても利用できるので、余分なタスクライトを取り付けずに済むだけでなく、室内照度を落として環境に配慮した居住空間を構成することも容易となる。
【０００９】
或いは、両面デスクを採用する場合には、ワークラインに沿って複数人が隣接状態で使用可能かつ奥行き方向に対面状態で使用可能な机上面を有するデスクワーク用のデスク本体と、前記デスク本体に一体的に支持された状態で前記机上面と天井との間に前記ワークラインに沿って間欠的に又は連続的に光源を配置してなる照明手段とを具備し、この照明手段から奥行き方向両側に振り分けて前記机上面を照明するように構成することで、上記のライン照明が、奥行き方向両側の机上面をカバーすることになる。
【００１０】
具体的な実施の態様としては、デスク本体の自立性を利用して、前記デスク本体を構成する天板の使用縁にほぼ平行なラインを形成するライン構成ビームと、このライン構成ビームを支持する支柱とからなる机上構造体を前記デスク本体に一体的に設け、この机上構造体のライン構成ビームに沿って前記照明手段の光源を配置しているものが挙げられる。
【００１１】
或いは、天板が、使用縁側に凹部を有し、その凹部の両側の机上面を隣接状態で使用可能な異形天板である場合には、デスク本体の自立性を利用して、前記デスク本体を構成する前記天板の凹部に近づくほど使用縁側に迫り出すラインを形成するライン構成ビームと、このライン構成ビームを支持する支柱とからなる机上構造体をデスク本体に一体的に設け、この机上構造体のライン構成ビームに沿って前記照明手段の光源を配置して構成することも有用である。
【００１２】
ライン照明の照度をシンプルな構造で調整可能とするためには、ライン構成ビームが支柱に対して高さ変更可能に設けられていることが望ましい。
【００１３】
ライン照明の照度をライン構成ビームの高さに依存せずに設定可能とするためには、ライン構成ビーム又は支柱に支持させて、このライン構成ビームに沿って平行に延びる中間フレームを前記ライン構成ビームの下方における所要高さ位置に設け、この中間フレームに前記照明手段の光源を取り付けていることが好ましい。
【００１４】
かかる照度の設定を容易に調整可能とするためには、中間フレームが、ライン構成ビーム又は支柱に高さ変更可能に取り付けられていることが特に望ましい。
【００１５】
より業務に集中できる作業環境を適切に構築するためには、ライン構成ビームの上面側に、天井方向を照らす補助照明手段の光源を更に備え、前記中間フレームに取り付けた照明手段の光源、および前記ライン構成ビームに設けた補助照明手段の光源に、机上構造体の内部に導入した配線を通じて給電を行い得るようにして、ライン照明とともにアンビエント照明を導入していることが有効となる。
【００１６】
この場合も、ライン照明やアンビエント照明の照度調整を有効に行うためには、照明手段又は補助照明手段の何れか一方もしくは双方が上下方向に可変とされていることが好ましい。
【００１７】
このような２種類の照明手段を適切に併用するためには、照明手段を構成する光源と、補助照明手段を構成する光源とが、同一の光源要素を上下逆向きに取り付けて構成されていることが好適である。
【００１８】
デスクの構成要素を付加する構成が机上構造体の強度向上にも繋がる構成にするためには、机上構造体を構成する支柱のうち端部に位置する一対の支柱間の幅寸法が机上面の幅寸法に略等しく設定され、その支柱間にデスクトップパネルを嵌め込むように位置づけているものが好ましい。
【００１９】
或いは、デスクトップパネルを支持する支柱を机上構造体の支柱とし、その上端部に当該机上構造体を構成するライン構成ビームを取り付けるように構成すれば、部品点数の削減も同時に果たすことができる。
【００２０】
このデスクシステムを、組織の規模やレイアウト変更に容易に対応可能とするためには、ワークライン方向へ机上面の連続性を損なわずにデスク本体の増連、減連を可能にするとともに、これに対応してライン構成ビームの増連、減連が可能なように机上構造体をデスク本体に対して着脱可能に構成していることが望ましい。
【００２１】
中間フレームを採用する場合には、ワークライン方向へ机上面の連続性を損なわずにデスク本体の増連、減連を可能にするとともに、これに対応してライン構成ビームおよび中間フレームの増連、減連が可能なように机上構造体に中間フレームを取り付けるようにしていることが好ましい。
【００２２】
照度の均一化に資するためには、照明手段が、ワークラインに沿ってデスク本体の机上面のほぼ全域に亘り設けられる光源と、この光源からの光の拡散を机上面の奥行き内にほぼ収める導光部とを具備していることが有効となる。
【００２３】
特に、照度分布を適切に制御するためには、照明手段が、下向きに配置されて蛍光灯よりも高い指向性を示すＬＥＤ等の光源と、この光源からの光を机上面上に重点的に拡散させる導光部とを具備していることが望ましい。
【００２４】
この場合の導光部は、光源の下方に配置されて光を散乱させるスモーク板を備えていることが好適である。
【００２５】
机上面全体の照度構成をより簡単、有効に行うためには、導光部が、光源の下方に配置されて光を机上面の使用縁側に重点的に散乱させるスモーク板と、前記スモーク板の下方に配置されて入射した光を机上面の反使用縁側に向けて反射させるデスクトップパネルとを備えていることが好適である。
【００２６】
ワークエリアの周辺の動線空間にも適切な照明環境を整えるためには、スモーク板の小口からワークラインに沿ってほぼ均等に光が導出されるように構成していることが望ましい。
【００２７】
導光部の他の態様としては、光源の直下に配置されて小口より光を入光させ、その光をパネル面から厚み方向に放射するデスクトップパネルを備え、このデスクトップパネルを面光源として利用するものが挙げられる。
【００２８】
上記の机上構造体をデスク本体に着脱可能に構成しておけば、このデスクシステムを事後的に構成するためのオプションとして有効に利用することができ、本デスクシステムから通常のデスクシステムに切り替えるとも容易となる利用態様を実現することができる。
【発明の効果】
【００２９】
本発明は、以上説明した構成であるから、天井照明に頼らず、またレイアウトの如何によらずに、デスクのレイアウトに付随して机上面を適切にライン照明することができ、ワークラインに沿って照度差が生じることを解消して、適切な照明環境を整えることを可能にした、新規有用なデスクシステムを提供することができる。特に、ライン照明を机上面に近い位置に持ち込むことで、タスクライトとしての照度を有効に実現でき、逆に室内照明の照度を抑えて集中し易い環境の整備、節電によるエコロジー対策も必要に応じて容易に図ることができるようになる。
【発明を実施するための最良の形態】
【００３０】
以下、本発明の一実施形態を、図面を参照して説明する。
【００３１】
この実施形態のデスクシステムは、図１に示すように、デスク本体１に門形の机上構造体２を後付けによって取り付け可能とし、この机上構造体２の一部に設けた照明手段３から机上面Ａを照明するように構成したものである。
【００３２】
デスク本体１は、パネル状をなす一対の端部脚１１、１１の間に幅広な矩形状の天板１２を、奥行き方向に対をなすように架け渡して取り付けたもので、机上面Ａを複数人が横並びで使用する状態と、机上面Ａを対面位置で使用する状態とを同時にとり得るように構成される。ワーカーが横並びに隣接して着座する方向すなわち天板幅方向を本実施形態においてワークラインＷＬと称する。天板増連時には、端部脚１１を図９に示すような中間脚１３に交換するとともに、新たに増設した端部脚１１ｘとの間に増連用の天板１２ｘを支持させることができる。中間脚１３はＴ字状をなし、ワゴン等を干渉しない状態で挿入可能な下肢空間Ｓを連続的に形成することができるものである。この中間脚１３は、一体で構成することもできるが、逆Ｌ字状の脚要素を背合わせに突き合わせて構成してもよい。このデスク本体１は、図２に示すように、左右の端部脚１１，１１の間を架材１４を架設して自立可能に連結したもので、天板１２はこの架材１４に載せ置いて固定される。その際、一対の天板１２，１２の反使用縁１２ｂ、１２ｂ間に、配線の落とし込み用の間隙δが形成されるようにしている。そして、デスク本体１の一部、この実施形態では端部脚１１の内面における前記間隙δが存在する位置に、オプションを取り付けるためのオプション取付部１５を剛性のある金具等を利用して設けている。なお、この天板１２の反使用縁１２ｂ側の下方には、机上のＯＡ機器類の配線やアダプタ等を収納するための図１に示す配線トレイ１６が前記架材１４等に支持させて取り付けてある。
【００３３】
机上構造体２は、机上面Ａの邪魔にならない位置から垂直に起立して頭上の邪魔にならない位置に展開される門形のもので、図２に示すように、前記オプション取付部１５に下端部をねじ止めされる一対の支柱２１と、これらの支柱２１の上端部間を連結する位置に配置されて端部を支柱２１にねじ止めされるビーム２２とを具備する。図１に示すように、一対の支柱２１、２１間の外法寸法は、机上面Ａの幅寸法に略等しく設定されている。ビーム２２は、ワークラインＷＬに沿った照明ラインＬＬを構成するという意味で、ライン構成ビームと称する。このライン構成ビーム２２は天板１２の使用縁１２ａに平行に延びている。支柱２１およびライン構成ビーム２２は角パイプ状のもので、中空部に配線を挿し通すことが可能であり、図２及び図３に示すように、支柱２１の下端近傍の１箇所と上端ないし上端近傍の２箇所の内側面にそれぞれ配線導出入口２１ａ、２１ｂ、２１ｃを設けている。最上位の配線導出入口２１ｃの下に位置する配線導出入口２１ｂからはライン構成ビーム２２の下方に第１の配線Ｃ１が導出可能とされ、最上位の配線導出入口２１ｃからはライン構成ビーム２２の上方に第２の配線Ｃ２が導出可能とされている。ライン構成ビーム２２の下方に導出される第１の配線Ｃ１は、当該ライン構成ビーム２２の下方に取り付けた図１及び図３に示す配線トレイ２３に収めることができ、この配線トレイ２３を前後から隠蔽する位置に前記ライン構成ビーム２２に取り付けた化粧カバー２４が垂下している。
【００３４】
そして、本実施形態では、前記机上構造体２の支柱２１およびライン構成ビーム２２からなるフレーム構造の内側におけるライン構成ビーム２２よりも低い所要位置に、図１及び図３に示す中間フレーム４を配置し、この中間フレーム４に、照明手段３を構成する光源ユニット３ａ（図５参照）を取り付けている。
【００３５】
中間フレーム４は、図１に示すように端部が閉じた角パイプ状のもので、ライン構成ビーム２２よりもわずかに短寸に設定され、上壁４１の２箇所がワイヤ４２を介してライン構成ビーム２２に吊り下げられている。中間フレーム４の取り付け高さは、ワイヤ４２の長さによって設定される。一方、図４及び図５に示す光源ユニット３ａは、短冊状の基板３１の下面に所定ピッチで光源であるＬＥＤチップ３２をマウントし、そのＬＥＤチップ３２を導光部である短冊状のスモーク板３３で覆ってＬＥＤアレー３０を構成したもので、このＬＥＤアレー３０を中間フレーム４の底壁４２にねじにより取り付けている。また、光源ユニット３ａの一部の構成要素として、ガラス板３４を採用している。このガラス板３４は、短手寸法が中間フレーム４よりも幅広かつ長手寸法が中間フレーム４のそれよりも若干長尺な形状をなすもので、中心部に前記ＬＥＤアレー３０を収容する矩形状の窓３４ａを肉厚方向に貫通させている。そして、この窓３４ａ内に前記ＬＥＤアレー３０が位置するようにして、このガラス板３４を前記中間フレーム４の底壁４２にねじにより取り付けている。スモーク板３３は、上面側にＬＥＤから光が入光すると、厚み方向に通過する際に内部で散乱して、図５（ｃ）に示すように下面側から光を拡散させて放出することができるものである。
【００３６】
また、この実施形態は、図６に示すように、前記机上構造体２を構成するライン構成ビーム２２の上壁に凹部２２ａを設け、この凹部２２ａ内に、ＬＥＤアレー３０とほぼ同様に光源であるＬＥＤチップ５２をマウントした基板５１の上をスモーク板５３で覆ったＬＥＤアレー５０を有する光源ユニット５ａを、発光面を上向きにして配置している。この光源ユニット５ａは、本発明の補助照明手段５を構成するもので、下向きのライン照明を構成する前記光源ユニット３ａに対して、当該補助照明手段５はこれと平行な上向きのライン照明を構成し、同図（ｃ）に示すようにスモーク板５３で拡散しながら天井方向を照らすことができるものである。
【００３７】
そして、図３に示した第１の配線Ｃ１を中間フレーム４に取り付けた図５に示す照明手段３のＬＥＤアレー３０に接続し、図３に示した第２の配線Ｃ２を前記ライン構成ビーム２２に設けた図６に示す補助照明手段５のＬＥＤアレー５０に接続している。図１に示すように、中間フレーム４の頂壁４１には、照明手段３を構成するＬＥＤアレー３０をＯＮ／ＯＦＦするスイッチ３ｂが設けられ、支柱２１の内面には、補助照明手段５を構成するＬＥＤアレー５０をＯＮ／ＯＦＦするスイッチ５ｂが設けられている。
【００３８】
さらに、この実施形態は、前記左右の支柱２１、２１の内面間に緊密に収まるように、図１〜図３に示すデスクトップパネル６を配置している。このデスクトップパネル６は、デスク本体１の架材１４に開口１７ａを有する支持杆取付部１７を設け、この支持杆取付部１７に、上方から支持杆６１の付帯したデスクトップパネル６を落とし込んで、その下面側に設けた前記支持杆取付部１７の開口１７ａに支持杆６１を挿入することによって取り付けたものであり、デスクトップパネル６は前記配線落とし込み用の空隙δのほぼ真上に位置し、机上構造体２の支柱２１及びライン構成ビーム２２からなるフレーム構造の肉厚内に収まるものである。この実施形態におけるデスクトップパネル６のパネル面は、光の反射効率の高い光沢面に仕上げられている。
【００３９】
このような構成において、スイッチ３ｂをＯＮにすると、図５、図７及び図８に示すように、中間フレーム４に取り付けた光源ユニット３ａのＬＥＤアレー３０が発光し、スモーク板３３で散乱して、机上面Ａに光が拡散して到達する。ＬＥＤアレー３０は、図１に示すワークラインＷＬに沿ってデスク本体１の机上面Ａのほぼ全域をカバーする位置に設けられるため、ワークラインＷＬのどの場所においてもほぼ同一の照明環境が得られる。また、スモーク板３３からの拡散範囲を机上面Ａの奥行き内にほぼ収まる範囲に設定しておけば、光の漏れを効率よく防止しつつ、机上面Ａを的確に照明することが可能である。この実施形態では、図５及び図８に示すスモーク板３３の小口３３ａからも光が導出され、この光は、周囲のガラス板３４を通過した後、そのガラス板３４の小口３４ａから導出されて、ワークラインＷＬに沿ってワーカーの後ろの動線領域に沿って均等に光が導出されることになる。ＬＥＤ３２自身の発光色やガラス板３４の色、スモーク板３３における散乱特性やガラス３４への入出射時の屈折角などによって、着座者から中間フレーム４の底面を見上げた際の色調や、ガラス３４の小口３４ａ方向を見た際の色調を、例えば緑色のような目に優しい色、あるいは青色のようなストレス解消色などとして視認されるように構成することができる。
【００４０】
また、スイッチ３ｂをＯＮにすると、図６〜図８に示すように、ライン構成ビーム２２に取り付けた光源ユニット５ａのＬＥＤアレー５０が発光し、スモーク板５３で散乱して、天井に向かって光が拡散することになる。ＬＥＤアレー５０は、図１に示すワークラインＷＬに沿ってデスク本体１のほぼ全域に対応する位置に設けられるため、ワークラインＷＬのどの場所においてもほぼ同一のアンビエント照明がなされる。このため、室内照明の照度を弱くすれば、作業性の高い集中した作業空間を形成することができる。勿論、図１０に示すように、補助照明手段５からの照明を反射させる反射部材５ｘをライン構成ビーム２２を利用して取り付ければ、ワーカーの着座空間を明るくする間接照明として利用することもできる。
【００４１】
そして、このデスクシステムにおいて、図１→図９に示すようにワークラインＷＬ方向へ机上面Ａの連続性を損なわずにデスク本体１の増連を行う際には、前記支柱１１の一方を共用して、新たな支柱２１ｘとの間にライン構成ビーム２２ｘを架設するとともに、このライン構成ビーム２２ｘから中間フレーム４ｘを吊り下げるようにしている。このように、図１→図９、或いは図９→図１などと、デスク本体１の増連、減連が可能であり、これに対応してライン構成ビーム２２、２２ｘおよび中間フレーム４、４ｘの増連、減連が可能なように、机上構造体２の再構築や中間フレーム４の増減を簡単に行い得るものである。
【００４２】
以上のように、本実施形態のデスクシステムは、ワークラインＷＬに沿って複数人が隣接状態で使用可能な机上面Ａを有するデスクワーク用のデスク本体１と、前記デスク本体１に一体的に支持された状態で前記机上面Ａと天井との間に前記ワークラインＷＬに沿って間欠的に又は連続的に光源であるＬＥＤチップ３２を配置してなる照明手段３とを具備し、この照明手段３のＬＥＤチップ３２から前記机上面Ａを照明するように構成したものである。
【００４３】
このように、照明手段３をデスク本体１に一体的に支持させたので、デスク本体１を居住空間のどの場所に配置しても、机上面Ａと対をなしてワークラインＷＬ方向に照明手段３が分布することになる。このため、天井照明に頼れない場所があっても、机上面Ａの上にライン照明を有効に構成して、適切な照明を行うことができる。特に、天井よりも近い位置にライン照明を持ち込むと、必要な机上面Ａを重点的に照らすタスクライトとしても利用できるので、余分なタスクライトを取り付けずに済むだけでなく、室内照度を落としてエコロジーに配慮した居住空間を構成することも容易となる。
【００４４】
勿論、上記照明手段３からの光は、対面使用可能に構成された奥行き方向両側の机上面Ａに振り分けられるため、奥行き方向中間位置に配置した共通の照明手段３から効率的なライン照明がなされることになる。
【００４５】
具体的には、デスク本体１の自立性を利用して、前記デスク本体１を構成する天板１２の使用縁１２ａに平行なラインを形成するライン構成ビーム２２と、このライン構成ビーム２２を支持する支柱２１とからなる机上構造体２を前記デスク本体１に一体的に設け、この机上構造体２のライン構成ビーム２２に沿って前記照明手段３のＬＥＤチップ３２を配置している。このように、机上構造体２によって剛性を確保した上で、そのライン構成ビーム２２に沿って照明手段３を配置するので、安定したライン照明を構成することができる。そして、ワークラインＷＬに沿って机上面Ａのどの位置に着座しても使用縁１２ａとライン照明との相対距離が一定となるので、照度差を生じない使用環境を有効に整えることが可能となる。
【００４６】
その際、ライン構成ビーム２２に支持させて、その下方における所要高さ位置に、当該ライン構成ビーム２２に沿って平行に延びる中間フレーム４を設け、この中間フレーム４に前記照明手段３のＬＥＤチップ３２を取り付けているので、机上構造体２を構成するライン構成ビーム２２の高さに依存せずに、ライン照明を適切な位置に設定することができる。このため、机上構造体２の剛性を損なうことがなく、補助照明手段５の採用のため等に所要の高さを存置しておくことができる。
【００４７】
そして、ライン構成ビーム２２の上面側に、天井方向を照らす補助照明手段５の光源であるＬＥＤチップ５２を更に備え、前記中間フレーム４に取り付けた照明手段３のＬＥＤチップ３２、および前記ライン構成ビーム２２に設けた補助照明手段５のＬＥＤチップ５２に、机上構造体２の内部に導入した配線Ｃ１，Ｃ２を通じて給電を行い得るようにしているので、照明手段３をタスクライトとして使用し、補助照明手段５をアンビエントライトとして使用して、デスクワーク用の机上面Ａを、集中力を高めるワークスペースに作り上げることができる。
【００４８】
また、照明手段３を構成するＬＥＤチップ３２と、補助照明手段５を構成するＬＥＤチップ５２とが、同一のＬＥＤチップ３２，５２を上下逆向きに取り付けて構成されているので、コスト削減とともに、同じ種類の光源を用いることで照明装置としての発光強度や色調などに統一感を得ることができる。
【００４９】
さらに、机上構造体２を構成する支柱２１のうち端部に位置する一対の支柱２１間の幅寸法が机上面Ａの幅寸法に略等しく設定され、その支柱２１間にデスクトップパネル６を嵌め込むようにして位置づけているので、机上構造体２とデスクトップパネル６とが見掛け上の一体性を備えるとともに、デスクトップパネル６が本来の目隠し効果以外に、支柱２１の倒れ防止の役割も兼ね、後付けで取り付けられる机上構造体２の強度向上に有効に資することとなる。
【００５０】
また、このデスクシステムは、ワークラインＷＬ方向へ机上面Ａの連続性を損なわずにデスク本体１の増連、減連が可能であり、これに対応してライン構成ビーム２２の増連、減連が可能なように机上構造体２をデスク本体１に対して着脱可能に構成している。すなわち、この種の島型のデスクやフリーアドレス制のデスクでは、使用する組織の規模やその組織変更、レイアウト変更等に応じて増連、減連が不可欠である。そこで、上記のようにデスク本体１を自立性のものにして増連、減連を可能とし、机上構造体２もこれに追従して構成できるようにしておけば、机上面Ａの増減の変化にライン照明を有効に対応させることができる。
【００５１】
その際、ライン構成ビーム２２の増連、減連に対応して中間フレーム４の増連、減連が可能なように机上構造体２に中間フレーム４を取り付けているので、上記の効果を実効あらしめることができる。
【００５２】
照明手段３に関しては、ワークラインＷＬに沿ってデスク本体１の机上面Ａのほぼ全域に亘り設けられる光源であるＬＥＤチップ３２と、このＬＥＤチップ３２からの光を拡散させつつ机上面Ａの奥行き内にほぼ収める導光部であるスモーク板３３とを具備しているので、ワークラインＷＬに沿ってどこに座っても均等な照度が得られ、奥行き方向にも光の拡散によって適切な照度を形成することができる。
【００５３】
その照明手段３は、下向きに配置されて蛍光灯よりも高い指向性を示す光源たる上記のＬＥＤチップ３２と、このＬＥＤチップ３２からの光を机上面Ａ上に重点的に拡散させる導光部たるスモーク板３３とを組み合わせたものであるので、指向性の高い光源を適切に導光することによって、スモーク板３３の誘導特性によって机上面Ａの照度分布を適切に制御することができる。
【００５４】
特に導光部に、光源の下方に配置されて光を散乱させるスモーク板３３を採用することによって、簡単かつ安価な構造で机上面Ａに光を有効に拡散させることが可能となっているものである。
【００５５】
また、導光部は、光源の下方に配置されて光を机上面Ａの使用縁１２ａ側に重点的に散乱させる上記のスモーク板３３以外に、このスモーク板３３の下方に配置されたデスクトップパネル６も、図８に示すように入射した光を机上面Ａの反使用縁１２ｂ側に向けて反射させる導光部としての役割を担うので、使用縁１２ａに近い位置はスモーク板３３から直接照明され、反使用縁１２ｂに近い位置はデスクトップパネル６を介して間接照明される状態となり、机上面Ａ全体を照明するとともに、作業エリアに応じた照度分布を構成することができる。
【００５６】
そして、そのスモーク板３３の小口３３ａからも、ワークラインＷＬに沿ってほぼ均等に光が導出されるように構成しているので、ワークラインＷＬに平行なワーカーの動線上にもライン照明が有効になされることになる。
【００５７】
さらにまた、この机上構造体２は後付けでデスク本体１に着脱可能とされ、また簡単に撤去することができるため、オプションとして利用することができるほか、既存のデスクシステムにも簡単に適用できる実用性の高いものとして利用に供することができる。
【００５８】
なお、各部の具体的な構成は、上述した実施形態のみに限定されるものではない。
【００５９】
例えば、中間フレームは支柱に支持させて取り付けることもできるし、光源は上記のようなＬＥＤ等の点光源を複数間欠的に配列する態様に変えて、連続的な光源を用いることも可能である。
また、上記実施形態のライン構成ビーム２２は、ワイヤ４２の実質的な長さを通じて中間フレーム４の高さ設定ができるものであるが、図１１に示すようにそのワイヤ４２の繰り出し長さを簡単に調整できる調整手段４２ｘを設けて積極的に高さ変更可能とすれば、ライン照明の高さをワーカーが適切に設定できる環境を整えることができる。
【００６０】
勿論、中間フレーム４を採用せず、図１２に示すように、ライン構成ビーム２２に照明手段３を直接配置して机上面Ａを照らすようにしても上記に準じた作用効果が奏される。この場合、同図に示すように支柱２１ｙをテレスコープ状にしてそれ自体を上下に可動とする構成を採用すれば、照度調整を有効に行うことができる。或いは、図１１の構成の支柱に代えて図１２の支柱２１ｙを採用するなどして、ライン構成ビーム２２および中間フレーム４の双方を上下位置変更可能とすれば、タスクライトによる照度の調整と、アンビエントライトによるアンビエント効果の調整とを両立して適切に行うことができる。図１２の態様では、ライン構成ビーム２２に天井方向を照らす補助照明手段５を同時に組み込んでおくことが有用である。補助照明手段５は、必ずしもライン照明である必要はなく、例えば図１３に示すような部分的な光源１３２を採用しても構わない。
【００６１】
また、図１４に示すように、天板が、使用縁１１２ａ側に凹部１１２ｘを有し、その凹部１１２ｘの両側の机上面Ａを二人が隣接状態で使用可能な異形天板１１２である場合は、デスク本体の自立性を利用して、前記デスク本体１を構成する前記天板１１２の凹部１１２ｘに近づくほど使用縁１１２ａ側に迫り出すラインを形成するライン構成ビーム１２２と、このライン構成ビーム１２２を支持する支柱１２１とからなる机上構造体１０２をデスク本体に一体的に設け、この机上構造体１０２のライン構成ビーム１２２に沿って照明手段１０３の光源を配置するようにしてもよい。
【００６２】
このような異形天板１０２では、ワークラインＷＬは利用者の隣接境界に近づくほど浅くなるので、光源を上記のように配置することで、ワークラインＷＬに沿ったライン照明を適切に構成することができるようになる。
【００６３】
さらに、図１５に示すように、デスクトップパネル６と支柱２１とを抜脱し得ないように凹凸の嵌め合い部Ｚ等を通じて係り合わせ、その支柱２１の上方位置において支柱２１、２１間をライン構成ビーム２２で連結して机上構造体２を構成すれば、部品点数を削減しつつ、机上構造体２の構築とデスクトップパネル６の取り付けとを同時に実現し、両者の一体性も高めることができる。
【００６４】
さらにまた、図１６に示すように、デスクトップパネル１０６を導光部とし、このデスクトップパネル１０６を光源１０３の直下に配置して、小口１０６ａより入光させた光をパネル面１０６ｂから厚み方向に放射させるように構成することもできる。このようにすると、デスクトップパネル１０６全体が面光源として機能し、机上面Ａにより近い位置から全体を効率よく照明できるようになる。
【００６５】
勿論、有機ＥＬを用いてパネルを構成し、デスクトップパネルとして利用する態様も可能である。
【００６６】
加えて、照明手段からの光を奥行き方向に振り分ける構成として、上記実施形態では、図１７（ａ）に示すように導光部である平板状のスモーク板３３を用いたが、同図（ｂ）に示すように奥行き方向両側の机上面に対面するように傾斜角度を異ならせた導光板３３３を用いてもよいし、同図（ｃ）に示すように湾曲した導光板４３３を用いることもできる。
【００６７】
さらにまた、図１８に示すように、ワークラインＷＬ２が円形天板２１２に沿って周回状に設定され、使用縁２１２ａに沿って複数人が机上面Ｂを隣接状態で、また対面状態で使用可能なデスク本体２０１を採用する場合には、そのデスク本体２０１に一体的に支持された状態で前記机上面Ｂと天井との間に照明手段３００の光源３００ａを、ワークラインＷＬ２に沿って一定の照度が得られるように中心からラジアル方向に放射状に分布させて設けてもよい。このようにしても、照明手段３００の光源３００ａから机上面Ｂを適切に照明することができるので、上記に準じた作用効果が奏される。この場合、照明手段３００は円形天板２１２の中心から突出させた支柱２２１に支持させるようにし、その支柱２２１は、昇降可能に構成して照度調整機能を持たせるようにすることも有用である。
その他の構成も、本発明の趣旨を逸脱しない範囲で種々変形が可能である。
【図面の簡単な説明】
【００６８】
【図１】本発明の一実施形態に係るデスクシステムの全体斜視図。
【図２】同要部分解斜視図。
【図３】同実施形態の机上構造体を一部破断して示す部分拡大正面図。
【図４】同実施形態における照明手段の構成を示す図。
【図５】同照明手段の構成を示す斜視図。
【図６】同実施形態にける補助照明手段の構成を示す斜視図。
【図７】同実施形態の作用を説明するための斜視図。
【図８】同模式的な側面図。
【図９】同実施形態の机上面を増設した状態を示す全体斜視図。
【図１０】同実施形態の変形例を示す斜視図。
【図１１】本発明の他の実施形態を示す模式的な斜視図。
【図１２】本発明のさらに他の実施形態を示す模式的な斜視図。
【図１３】本発明の上記以外の実施形態を示す模式的な斜視図。
【図１４】本発明を異形天板に適用した変形例を示す模式的な平面図。
【図１５】本発明に係るデスクトップパネルの他の取付態様を示す斜視図。
【図１６】本発明の光源に関する他の構成の導光部を示す模式図。
【図１７】本発明の光源に関するさらに他の構成の導光部を示す模式図。
【図１８】上記以外の構成例を示す斜視図。
【符号の説明】
【００６９】
ＷＬ、ＷＬ２…ワークライン
１、２０１…デスク本体
２…机上構造体
３、１０３…照明手段
４…中間フレーム
５…補助照明手段
６…デスクトップパネル
１２、１１２…天板
１２ａ、１１２ａ…使用縁
２１、１２１…支柱
２２、１２２…ライン構成ビーム
３２…光源（ＬＥＤチップ）
３３…導光部（スモーク板）
３３ａ…小口
５２…光源（ＬＥＤチップ）
１０６…導光部（デスクトップパネル）
１０６ａ…小口
１１２ｘ…凹部
Ａ，Ｂ…机上面
Ｃ１，Ｃ２…配線
【図１】
2010017488.tif 000003
【図２】
2010017488.tif 000004
【図３】
2010017488.tif 000005
【図４】
2010017488.tif 000006
【図５】
2010017488.tif 000007
【図６】
2010017488.tif 000008
【図７】
2010017488.tif 000009
【図８】
2010017488.tif 000010
【図９】
2010017488.tif 000011
【図１０】
2010017488.tif 000012
【図１１】
2010017488.tif 000013
【図１２】
2010017488.tif 000014
【図１３】
2010017488.tif 000015
【図１４】
2010017488.tif 000016
【図１５】
2010017488.tif 000017
【図１６】
2010017488.tif 000018
【図１７】
2010017488.tif 000019
【図１８】
2010017488.tif 000020